(57)【要約】  錠セットを調節可能に鍵設定するためにウェーハ組立体とロッキングキーとを使用するウェーハ型錠セット。ウェーハ組立体は、ベースウェーハ及びこのベースウェーハに調節自在に連結することができるリセット可能なウェーハを含む。ロッキングキーは、ベースウェーハとリセット可能なウェーハとが互いに連結されている第１の位置と、ベースウェーハとリセット可能なウェーハとが互いに連結解除されている第２の位置との間で移動可能である。所望の鍵輪郭を有する鍵を使用して、錠セットを設定又はプログラムすることができる。錠セットを鍵再設定するための方法も提供される。【選択図】図１
2008519927.tif 000002
【特許請求の範囲】
【請求項１】
内部キャビティを定める壁部材と、該壁部材の内表面上に形成された第１及び第２の溝とを有する錠シリンダと、
長手方向軸線の周りに配置された鍵穴を有するプラグ組立体と、
を備える錠セットであって、
前記プラグ組立体が、
少なくとも１つのウェーハスロットと、ロッキングバー凹部と、ロッキングキー凹部とを有し、前記ロッキングキー凹部及び前記ロッキングバー凹部が、前記長手方向軸線にほぼ平行に延びており、前記ロッキングキー凹部が、前記少なくとも１つのウェーハスロット及び前記ロッキングバー凹部と交差しているプラグと、
各ウェーハスロット内に配置されたウェーハ組立体であって、各ウェーハ組立体がベースウェーハとリセット可能なウェーハとを含み、前記各ウェーハ組立体は、関係するウェーハスロット内において、該ウェーハ組立体が前記プラグから外方に前記第１及び第２の溝の内の関係する方に延びる第１の位置と、前記ウェーハ組立体が前記プラグ内に実質的に引き込まれて前記プラグが錠シリンダ本体に対して回転可能となる第２の位置との間で移動可能であるウェーハ組立体と、
各々が前記ロッキングキー凹部内に配置され、第１の位置と第２の位置との間で移動可能である、前記各ウェーハ組立体のためのロッキングキーであって、少なくとも１つの前記ロッキングキーを前記第１の位置に配置することにより、関係するリセット可能なウェーハに各ベースウェーハが連結され、その結果、それぞれのウェーハスロット内において前記ベースウェーハ及び関係するリセット可能なウェーハの内の一方が前記長手方向軸線にほぼ垂直な方向で移動することにより前記ベースウェーハ及びその関係するリセット可能なウェーハの内の他方の対応する移動が生じ、前記少なくとも１つのロッキングキーを前記第２の位置に配置することにより、該ロッキングキーが前記リセット可能なウェーハから引き込められて、前記リセット可能なウェーハと前記ベースウェーハとの間の前記長手方向軸線にほぼ垂直な相対移動が可能になるロッキングキーと、
前記ロッキングバー凹部内に取り外し可能に配置され、前記ロッキングバー凹部内に配置することにより前記少なくとも１つのロッキングキーの前記第１の位置から前記第２の位置への移動が阻止されるロッキングバーと、
を含むことを特徴とする錠セット。
【請求項２】
前記ベースウェーハが、関係するロッキングキーの長手方向軸線に対しほぼ横断する方向の相対移動を阻止するための取付け部を含むことを特徴とする請求項１に記載の錠セット。
【請求項３】
前記取付け部が、前記関係するロッキングキーを間に受ける１対のアームを含むことを特徴とする請求項２に記載の錠セット。
【請求項４】
前記リセット可能なウェーハが複数の歯状部を含み、関係するロッキングキーは、前記第１の位置にある時に前記リセット可能なウェーハ上の歯状部の一部分に噛合する１つ又はそれ以上の歯状部を含むことを特徴とする請求項１に記載の錠セット。
【請求項５】
前記ベースウェーハが、前記関係するロッキングキーの嵌合する歯状部に噛合する複数の歯状部を含むことを特徴とする請求項４に記載の錠セット。
【請求項６】
前記ベースウェーハが、前記リセット可能なウェーハの軸方向端面に当接する
ことを特徴とする請求項１に記載の錠セット。
【請求項７】
前記リセット可能なウェーハがほぼＵ字形状であることを特徴とする請求項６に記載の錠セット。
【請求項８】
前記ロッキングバーは、前記ロッキングバー凹部に挿入されると前記ロッキングキーの各々を前記第１の位置に付勢する先細の前縁部を有することを特徴とする請求項１に記載の錠セット。
【請求項９】
前記ウェーハ組立体の各々が、鍵の輪郭と関係するリセット可能なウェーハとの接触に応答して、関係するウェーハスロットにおいて前記長手方向軸線に対してほぼ横断する方向で移動することを特徴とする請求項１に記載の錠セット。
【請求項１０】
錠セットを鍵再設定するための方法であって、
錠シリンダ本体と、プラグ本体、各々がベースウェーハとリセット可能なウェーハとを含む複数のウェーハ組立体、及び各々が関係する前記ウェーハ組立体と係合することによって前記各ウェーハ組立体のベースウェーハとリセット可能なウェーハとを互いに連結させる複数のロッキングキーを含むプラグ組立体とを有する錠セットを準備する段階と、
所望の鍵輪郭を備えた鍵を前記プラグ組立体内に挿入する段階と、
前記ロッキングキーの各々を関係するリセット可能なウェーハから係合解除して前記各ベースウェーハと前記関係するリセット可能なウェーハとの間の相対移動を可能にし、前記ベースウェーハ及び前記リセット可能なウェーハの内の少なくとも１つが前記所望の鍵輪郭と接触するようにする段階と、
前記ロッキングキーの各々をこれらの関係するリセット可能なウェーハと再係合させて、前記ベースウェーハと前記リセット可能なウェーハとの間の相対移動を阻止する段階と、
を含み、
前記ロッキングキーを前記関係するリセット可能なウェーハから係合解除させるために前記鍵が使用されないことを特徴とする方法。
【請求項１１】
前記プラグ組立体が施錠状態に位置付けられている間は前記ロッキングキーが前記関係するリセット可能なウェーハから係合解除されていることを特徴とする請求項１０に記載の方法。
【請求項１２】
前記ロッキングキーを前記関係するリセット可能なウェーハから係合解除する段階が、前記ロッキングバーを前記プラグ組立体から取り出す段階を含むことを特徴とする請求項１０に記載の方法。
【請求項１３】
前記ロッキングバーを前記プラグ組立体の長手方向軸線にほぼ平行な方向で前記プラグ組立体から引き出すことにより、前記ロッキングバーが前記プラグ組立体から取り出されることを特徴とする請求項１２に記載の方法
【請求項１４】
錠セットを鍵再設定するための方法であって、
錠シリンダ本体と、プラグ本体、各々がベースウェーハとリセット可能なウェーハとを含む複数のウェーハ組立体、及び各々が関係する前記ウェーハ組立体と係合することによって前記各ウェーハ組立体のベースウェーハとリセット可能なウェーハとを互いに連結させる複数のロッキングキーを含むプラグ組立体とを有する錠セットを準備する段階と、
所望の鍵輪郭を備えた鍵を前記プラグ組立体内に挿入する段階と、
前記プラグ組立体が施錠状態にある間に、前記ロッキングキーの各々を関係するリセット可能なウェーハから係合解除して前記各ベースウェーハと前記関係するリセット可能なウェーハとの間の相対移動を可能にし、前記ベースウェーハ及び前記リセット可能なウェーハの内の少なくとも１つが前記所望の鍵輪郭と接触するようにする段階と、
前記プラグ組立体の長手方向軸線にほぼ平行な軸線に沿ってロッキングバーを前記プラグ組立体の端部に挿入し、前記ロッキングキーの各々をこれらの関係するリセット可能なウェーハと再係合させて、前記ベースウェーハと前記リセット可能なウェーハとの間の相対移動を阻止する段階と、
を含む方法。
【発明の詳細な説明】
【技術分野】
【０００１】
本発明は一般に、錠シリンダに関し、より具体的には、マスターキーを使用することなく鍵を再設定することができる錠シリンダに関する。
【背景技術】
【０００２】
従来のウェーハロック設計を用いてシリンダの鍵を再設定する際には、ユーザは、新しい鍵を用いて錠セットを操作できるようにシリンダ本体からシリンダプラグを取り外して適切なウェーハに交換する必要がある。これには通常、ユーザが錠セットからシリンダ機構を取り外し、次いで該シリンダを或る程度まで分解してプラグを取り外し、必要に応じてウェーハを交換する必要がある。これは、錠セット及びシリンダ機構の実用上の知識を必要とし、鍵屋又は訓練を受けた専門家によってのみ行われる。更に、この作業には通常特殊なツールが使用され、ユーザは、ウェーハを交換し、鍵の再設定作業中に紛失又は損傷する可能性のある構造部品を交換するために、ウェーハ交換キットにアクセス可能であることが必要である。
【発明の開示】
【０００３】
１つの形態において、本発明の教示は、錠シリンダ本体とプラグ組立体とを備えた錠セットを提供する。錠シリンダ本体は、内部キャビティを定める壁部材と、この壁部材の内表面上に形成された第１及び第２の溝とを含む。プラグ組立体は、該プラグ組立体の長手方向軸線の周りに配置された鍵穴を有する。プラグ組立体は、プラグと、複数のウェーハスロットと、複数のロッキングキーと、少なくとも１つの１つのロッキングバーとを含むことができる。プラグは、複数のウェーハスロットと、ロッキングキー凹部と、ロッキングバー凹部とを有することができる。ロッキングキー凹部及びロッキングバー凹部は、長手方向軸線にほぼ平行に延びる。ロッキングキー凹部は、ウェーハスロット及びロッキングバー凹部と交差する。各ウェーハ組立体は、ウェーハスロット内に配置され、ベースウェーハとリセット可能なウェーハとを含む。各ウェーハ組立体は、関係するウェーハスロット内において、該ウェーハ組立体が前記プラグから外方に前記第１及び第２の溝の内の関係する方に延びる第１の位置と、前記ウェーハ組立体が前記プラグ内に実質的に引き込まれて前記プラグが錠シリンダ本体に対して回転可能となる第２の位置との間で移動可能である。ロッキングキーは、ロッキングキー凹部内に配置され、第１の位置と第２の位置との間で移動可能である。ロッキングキーを第１の位置に置くことにより、各ベースウェーハが関係するリセット可能なウェーハに連結され、その結果、それぞれのウェーハスロット内においてベースウェーハ及び関係するリセット可能なウェーハの内の一方が長手方向軸線にほぼ垂直な方向で移動することによりベースウェーハ及びその関係するリセット可能なウェーハの内の他方の対応する移動が生じる。ロッキングキーを第２の位置に配置することにより、ロッキングキーがリセット可能なウェーハから引き込められて、リセット可能なウェーハとベースウェーハとの間の長手方向軸線にほぼ垂直な相対移動が可能になる。ロッキングバーは、ロッキングバー凹部内に取り外し可能に配置される。ロッキングバーをロッキングバー凹部内に配置することにより、ロッキングキーの第１の位置から第２の位置への移動が阻止される。
【０００４】
別の形態において、本発明の教示は、錠シリンダ本体と、プラグ本体、各々がベースウェーハとリセット可能なウェーハとを含む複数のウェーハ組立体、及び各々が関係するウェーハ組立体と係合することによって各ウェーハ組立体のベースウェーハとリセット可能なウェーハとを互いに連結させる複数のロッキングキーを含むプラグ組立体とを有する錠セットを準備する段階と、所望の鍵輪郭を備えた鍵を前記プラグ組立体内に挿入する段階と、ロッキングキーの各々を関係するリセット可能なウェーハから係合解除して各ベースウェーハと関係するリセット可能なウェーハとの間の相対移動を可能にし、ベースウェーハ及びリセット可能なウェーハの内の少なくとも１つが所望の鍵輪郭と接触するようにする段階と、ロッキングキーの各々をこれらの関係するリセット可能なウェーハと再係合させて、ベースウェーハと前記リセット可能なウェーハとの間の相対移動を阻止する段階と、を含み、ロッキングキーを前記関係するリセット可能なウェーハから係合解除させるために鍵が使用されないことを特徴とする錠セットを鍵再設定するための方法を提供する。
【０００５】
本発明を適用できる他の分野は、本明細書で以下に与えられる詳細な説明から明らかになるであろう。詳細な説明及び特定の実施例は、本発明の好ましい実施形態を示しているが、単に例証の目的を意図するものであり、本発明の範囲を限定するものではないことを理解されたい。
【発明を実施するための最良の形態】
【０００６】
本発明の更なる利点及び特徴は、添付図面を参照しながら以下の説明及び添付の請求項により明らかになるであろう。
【０００７】
図１を参照すると、本発明の教示により構成された錠シリンダが参照符号１０で全体が示されている。錠シリンダ１０は、片面ウェーハを利用するウェーハ型錠機構として図示されているが、本発明の教示は、両面ウェーハを利用するウェーハ型錠機構を含むその他のタイプの錠機構に適用できることは、当業者であれば理解されるであろう。
【０００８】
錠シリンダ１０は、長手方向軸線１２の周りに配置され、錠シリンダ本体１４、プラグ組立体１６、及び「適合する」鍵１８を含むことができる。更に図２を参照すると、錠シリンダ本体１４は、内部キャビティ３４を定める壁部材３２を備えたほぼ円筒形の本体部分３０を含むことができる。壁部材３２の内側表面４０には、第１及び第２の溝３６及び３８がそれぞれ形成される。
【０００９】
図１に戻ると、プラグ組立体１６は、プラグ５０、複数のウェーハ組立体５２、１つ又はそれ以上のロッキングキー５４、及び１つ又はそれ以上のロッキングバー５６を含む。更に図２を参照すると、プラグ５０は、ほぼ円筒形の外形を有し、１つ又はそれ以上のウェーハスロット１００、ロッキングキー凹部１０２、及びロッキングバー凹部１０４を含むことができる。ウェーハ組立体５２を内部に受けるような大きさにされたウェーハスロット１００は、プラグ５０を貫通して該プラグ５０の長手方向軸線に対しほぼ横断する方向に延びる。ロッキングキー凹部１０２は、プラグ５０に沿って長手方向に延びて、ウェーハスロット１００と交差する。同様にプラグ５０に沿って長手方向に延びるロッキングバー凹部１０４は、該ロッキングバー凹部１０４とロッキングキー凹部１０２とが連続するように、ロッキングキー凹部１０２の側部に対向して配置することができる。
【００１０】
図２及び３を参照すると、各ウェーハ組立体５２は、ベースウェーハ１２０とリセット可能なウェーハ１２２とを含む。ベースウェーハ１２０は、相反する側縁部１３０及び１３２と、中央開口１３４と、取付け部１３６とを含む。ベースウェーハ１２０は、ウェーハスロット１００の内の関係するものにおいて摺動可能に受けられるような大きさにされ、係合解除位置と係合位置との間で移動可能であり、該係合解除位置では、ベースウェーハ１２０は、プラグ５０が錠シリンダ本体１４の内部キャビティ３４内で回転可能であるように、該プラグ５０により定められることができる円筒形エンベロープ内に位置付けられ、係合位置では、ベースウェーハ１２０は、ウェーハスロット１００から外方に第１及び第２の溝３６、３８の内の一方内に延びて、プラグ５０と錠シリンダ本体１４との間の回転を阻止する。中央開口１３４は、鍵１８（図１）の最大許容ビット刻みに相当するビット刻み（すなわち、輪郭高さ）を有する鍵を受けるような大きさにすることができる。幾つかの例においては、最大ビット刻みは、削られる鍵１８のタイプの削られていない（すなわち刻みのない）鍵の輪郭高さに相当する場合もある。取付け部１３６は、ロッキングキー５４のうちの関係するものを捕らえるように構成することができる。提示された特定の実施例においては、取付け部１３６は、側縁部１３２から延びて間にロッキングキー５４を受けることができる離間して配置された１対のアーム１５０を含む。従来の圧縮バネなどのバネ（図示せず）をアーム１５０間に配置して、ロッキングキー５４を側縁部１３２から離して凹部１０４内に付勢する力を側縁部１３２及びロッキングキー５４に加えることができる。本発明の教示に従って構成される他の鍵再設定可能な錠シリンダでは、磁石（図示せず）などの他の手段によりロッキングキー５４を付勢することができる。圧縮バネなどのバネ（図示せず）をアーム１５０の内の１つとプラグ５０との間のロッキングキー凹部１０２内に配置してベースウェーハ１２０を所定の方向に付勢し、これにより該ベースウェーハはプラグ５０から外方に第１及び第２の溝３６，３８の内の関係する一方へ延びることができるようになる。
【００１１】
リセット可能なウェーハ１２２は、相反する側縁部１６０及び１６２と、中央開口１６４と、第１の係合部分１６６とを含むことができる。提示された実施例においては、リセット可能なウェーハ１２２は、ほぼＵ字形であり、関係するウェーハスロット１００内に嵌合する大きさにされ、１対の脚部１７２ａ及び１７２ｂの間に配置された鍵係合部分１７０を有し、その内縁が全体として中央開口１６４を定める。第１の係合部分１６６は、ロッキングキー５４と協働して、プラグ５０の長手方向軸線に対しほぼ横断する方向でリセット可能なウェーハ１２２を調節可能に位置付けることができるよう構成される。提示された特定の実施例においては、第１の係合部分１６６は、リセット可能なウェーハ１２２の脚部１７２ｂの外縁に沿って形成された複数の歯状部１６６ａを含む。
【００１２】
各ロッキングキー５４は、ロッキングキー凹部１０２内に配置され、ベースウェーハ１２０の内の１つをリセット可能なウェーハ１２２の内の関連する１つと取り外し可能に固定的に取り付けるのに使用される。提示された実施例においては、各ロッキングキー５４は、端面１８０と第２の係合部分１８２とを有する棒状部材である。端面１８０は、アーム１５０により「垂直方向に」捕らえられ、アーム１５０上で「水平方向に」摺動可能である。第２の係合部分１８２は、第１の係合部分１６６に係合して、ロッキングキー５４をリセット可能なウェーハ１２２に取り外し可能に固定的に取り付けることができる。ロッキングキー５４がベースウェーハ１２０のアーム１５０間に捕らえられると、ベースウェーハ１２０及びリセット可能なウェーハ１２２の両方は係止されているので、ベースウェーハ１２０及びリセット可能なウェーハ１２２のいずれか一方が垂直軸に沿って移動すると、他方は同じ移動を生じる。
【００１３】
図示した実施形態においては、第２の係合部分１８２は、第１の係合部分１６６の歯状部１６６ａに噛合するよう構成された１つ又はそれ以上の歯状部１８２ａを含む。歯状部１６６ａ及び１８２ａは、ほぼＶ字形に図示され、プラグ５０の長手方向軸線に対しほぼ横断する方向に向いている。提示された特定の実施例においては、歯状部１６６ａ及び１８２ａの輪郭により、リセット可能なウェーハ１２２が上方に移動して、ロッキングキー５４をベースウェーハ１２０及びリセット可能なウェーハ１２２から離れて凹部１０４内に押し込むことが可能となる。しかしながら、歯状部１６６ａ及び１８２ａは、図示し説明するものとは異なるように形成及び／又は配向してもよいことは、当業者には本開示から理解されるであろう。
【００１４】
図１及び図２を参照すると、ロッキングバー５６は、ロッキングバー凹部１０４内に配置され、第２の係合部分１８２が第１の係合部分１６６と係合解除する地点までロッキングバー５６が「水平方向」に移動するのを阻止するのに使用される。提示された特定の実施例においては、ロッキングバー５６は、ロッキングキー５４の側面２００に隣接して配置された細長い部材である。ロッキングバー５６は、ロッキングキー５４の側面２００に接触してもよく、又は接触しなくてもよい。ロッキングバー５６が凹部１０４内に挿入された時にロッキングバー５６がロッキングピン５４を凹部１０４から外にベースウェーハ１２０及びリセット可能なウェーハ１２２に向けて押し出し、これによってロッキングバー５４の第２の係合部分１８２と第１の係合部分１６６との噛合を達成可能にするために、ロッキングバー５６の端部を先細にする（すなわち楔形にする）ことができる。第１の係合部分１６６と同様な構成を備えた係合部分をベースウェーハ１２０の取付け部１３６に（例えば、離間して配置された１対のアーム１５０間に）含めることができることは、当業者には理解されるであろう。このような実施形態においては、凹部１０４内へのロッキングバー５６の挿入もまた、ロッキングバー５６の第２の係合部分１８２とベースウェーハ１２０の係合部分（具体的には図示せず）とを噛合もたらすことになる。
【００１５】
錠シリンダ１０に「適合する」鍵１８を挿入すると、ウェーハ組立体５２がプラグ５０と整列する。提示された実施例においては、各リセット可能なウェーハ１２２の鍵係合部分１７０が関係するビット刻み２１０と接触し、その結果、ウェーハ組立体５２は、錠シリンダ１０の長手方向軸線に対しほぼ横断する方向に移動される。鍵１８は錠シリンダ１０に適合しているので、ウェーハ組立体５２は、プラグ５０内に位置付けられ、錠シリンダ本体１４内の第１及び第２の溝３６、３８内には延びず、その結果、プラグ組立体１６が錠シリンダ本体１４に対して回転することができる。
【００１６】
図１及び図４を参照すると、錠シリンダ１０を鍵再設定するためには、ロッキングバー５６が取り外され、第１及び第２の係合部分１６６及び１８２が互いに係合解除するために、ロッキングキー５４がリセット可能なウェーハ１２２から離れて外方に摺動される。係合解除されると、リセット可能なウェーハ１２２は、これらが当接しているベースウェーハ１２０に対して錠シリンダ１０の長手方向軸線に対しほぼ横断する方向で移動可能である。所望のビット刻み構成を有する新しい鍵１８′が、プラグ組立体１６内に挿入される。鍵１８′とリセット可能なウェーハ１２２の鍵係合部分１７０との接触により、ベースウェーハ１２０に対してリセット可能なウェーハ１２２がシフトされる。次いで、ロッキングキー５４がリセット可能なウェーハ１２２に向けて移動され、第１及び第２の固定部分１６６及び１８２を再係合する。第１及び第２の固定部分１６６及び１８２を係合状態で維持するためにロッキングバー５６が交換され、これによって新しい鍵１８′が錠シリンダ１０に「適合」される。錠シリンダ１０が、鍵再設定作業中の施錠状態で図示されているが、錠シリンダ１０は、プラグ組立体１６が施錠状態から外れて回転されている時にだけ鍵再設定作業を開始することができるよう（すなわち、ウェーハ組立体５２が第１及び第２の溝３６及び３８に直接位置合わせされていないよう）に構成できることは、本開示から当業者には理解されるであろう。意味深いことに、錠シリンダ１０は、該錠シリンダを操作するのに使用することになる鍵によって直接的に設定又はプログラムすることができ、従って、特別にプログラムされた鍵は必要ではない。
【００１７】
本発明を様々な実施形態を参照しながら本明細書で説明し図面において例証してきたが、請求項において定義された本発明の範囲から逸脱することなく様々な変更を行うことができ、その要素を均等物で置換えることができることは、当業者であれば理解されるであろう。更に、様々な実施形態間の特徴、要素、及び／又は機能の組合せ及び整合は、本明細書において明白に企図されているので、上記に別に記載されていない限り、ある実施形態の特徴、要素、及び／又は機能を必要に応じて別の実施形態に組み込むことができることは、当業者であれば本開示から理解されるであろう。更に、本発明の本質的な範囲から逸脱することなく、本発明の教示に対して特定の状況又は材料に適合するように多くの変更を行うことができる。従って本発明は、本発明を実施するのに現在最良の形態として企図される、図面により示され且つ本明細書で記載された特定の実施形態に限定されるものではなく、本発明は上記説明及び添付の請求項の範囲内に含まれるあらゆる実施形態を含む。
【図面の簡単な説明】
【００１８】
【図１】本発明の教示に従って構成された鍵再設定可能な錠シリンダの分解斜視図である。
【図２】鍵再設定可能な錠シリンダの長手方向軸線に対しほぼ横断する方向で見た図１の鍵再設定可能な錠シリンダの部分断面図である。
【図３】ウェーハ組立体及びロッキングキーの構造をより詳細に示す、図１の鍵再設定可能な錠シリンダの斜視図である。
【図４】図２と同様であるが、鍵再設定可能な錠シリンダに取り付けられた鍵とリセット可能なウェーハから係合解除されたロッキングキーとを示す部分断面図である。
【００１９】
１０  錠シリンダ
１４  錠シリンダ本体
１６  プラグ組立体
１８  鍵
３０  本体部分
３２  壁部材
３４  内部キャビティ
４０  内表面
５０  プラグ
５２  ウェーハ組立体
５４  ロッキングキー
５６  ロッキングバー
２１０  ビット刻み
【図１】
2008519927.tif 000003
【図２】
2008519927.tif 000004
【図３】
2008519927.tif 000005
【図４】
2008519927.tif 000006
【国際調査報告】
2008519927.tif 000007